(57)【要約】      （修正有）【課題】数値表示部分のみ拡大する。【解決手段】文字盤２上に記載された数値表示列５の有効計測範囲が１８０度以下の計器において、計測値を表示する数値表示列５が、ハウジング１の円形部分の中心付近を中心点とした円弧状に表示されている。指針軸３’が、数値表示列５の円弧の中心点２ａからこの数値表示列５と反対の方向に位置する箇所に設けられ、指針４’が、この指針軸３に結合して文字盤２と平行して回動し、数値表示列５の目盛５ａの一点を指示する。駆動部である株６が指針４を被測定物からの信号により駆動する。【選択図】  図２
2004271209.tif 000002
【特許請求の範囲】
【請求項１】
文字盤上の数値表示列の有効計測範囲が１８０度以下の計器において、ハウジング、該ハウジングの前面の中心付近を中心点とした円周上であって上記のハウジングの縁付近であり且つ文字盤上に円弧状に表示された計測数値を示す数値表示列、該数値表示列の円弧の中心点からこの数値表示列と反対の方向に位置する箇所に設けられた指針軸、該指針軸に結合して上記の文字盤と平行して回動し上記の数値表示列の数値の一点を指示するする指針、該指針を被測定物からの信号により駆動する駆動部、より構成されることを特徴としたスパイラル圧力計等の指針水平回動による計測数値指示タイプの計器。
【発明の詳細な説明】
【０００１】
【発明の属する技術分野】
本発明は、広くは圧力計等の計器に関するものであり、特にその計測値を示す文字盤の数値表示部分が円弧形状の計器に関するものである。就中、その計測数値の円弧状の数値表示列の位置がその指針軸に対して異心の位置に設置されたものであって、スパイラルガス圧力計などの指針が水平回動して計測数値を指示するタイプの計器に関するものである。
【０００２】
【従来の技術】
従来、スパイラル圧力計などの典型的な指針水平回動指示タイプの計器は、その指針がその測定するガスの圧力などに応じて半回転駆動し、そのガス圧等の値をその指針と同心円上の位置に円弧状に表記された計測数値を指すという構成になっている。
【０００３】
具体的には、図１に示すように、酒徳利の袴の形をしたハウジング１の上面に文字盤２が設けられている。そして、そのハウジング１の中心に当たる位置に、その計器Ｓの回動自在の軸心３が設置されている。さらに、指針４が、この回動自在の軸心３に固着され、これにより回動されその指針４の先端が円弧状の数値表示列５の計測数値の一点を指示するようになっている。ここで重要なことは、この数値表示列５の位置である。従来のこの数値表示列５の位置は、その数値表示列５の円弧を形作る円の中心点が、上記の軸心３の位置と同一の位置にあると言うことである。すなわち、この数値表示列５の円と上記の指針の回動が描く円とは同心円関係にあると言うことである。
【０００４】
さらに大事なことは、上記の円弧を形を作る数値表示列５の有効計測範囲が１８０度以下、一般的には１２０度であると言うことである。すなわち、その他の部分は使用されていない無駄ともいえる空間であると言うことである。したがって、この空間に目をつけてこれを利用することにより、そのハウジング１の文字盤２の利用面積を広げる道があると言うことである。これは、後に詳細にに述べるように、本願発明は、この数値表示列５の円弧を形作る有効計測範囲の拡張に着目したものである。
【０００５】
【発明が解決しようとする課題】
しかして、他の機器同様にこの分野の計器もその小型化の要求が強い。一方、その数値表示部の計測数値を読み取りやすくするための文字盤の拡大化と言う相反する要望も非常に強い。すなわち、文字盤を拡大化すると言う要望に応えると言うことは、従来通りの考えではその計器を大きくせざるを得ないと言うためである。そこで、その測定器全体のサイズがそのままのコンパクトサイズのままにして、その数値表示部分のみを拡大すると言う要望を満たす計器が要求されているが、その解決が難しかった。
【０００６】
すなわち、指針が水平回動して計測数値を指示するタイプの計器は、上述したようにその指針の回動面に平行する面にその文字盤が平行して共にその中心点を同心円上に設置されているからである。そして、その計器の形状は、その指針が回動してその測定値を指示することを基本構成としている。それゆえに、それに合わせてその文字盤の計測数値の表示は、その指針の回転軸と同心円上に円弧状に配列されている。したがって、この計器の構成は、コンパクト化や製造上の要求から、円盤状の形状を基本とするためである（箱形等は、デザイン等の他の余計な要素をこれに付加したに過ぎない）。そして、これに伴って、その文字盤の（扇形表示部分の）サイズも、基本的にその円形計器の半径のサイズ以内に制限されるためである。
【０００７】
これを解決するには、この指針水平回動指示タイプのものをやめてしまい、あるものはその計器を機械的なものではなく、電子的なものにすることが行われている。あるいは、それが機械的なものであっても、その機械構造を複雑にして、指針と扇形文字盤とに変えて、その数字の表示を回転式の桁並べのデジタル式にすることも行われている。しかし、これらの測定器を含め、全ての改良されたこの種の計器は、そのコストを大幅に上げてしまい、この点で新たな問題が生じるものとなった。
【０００８】
【課題を解決するための手段】
しかして、本願発明の発明者は、文字盤上の数値表示列の有効計測範囲が１８０度以下、特に一般的な１２０度の計器においては、このスパイラル圧力計などにおいて、その指針が設けられる面のサイズを拡大することなく、その指針の軸の位置をその文字盤を形どる円の中心点から移動させることにより、その解決策を見つけることができる事に気が付いた。すなわち、その文字盤に潜在する円形と指針の回転に潜在する円形とを、従来は当然のごとくに共に同心円上の概念にあるものものとして構成させていた。これを、それぞれ別に位置する中心点から成る異心円にあるものとして概念づけてその計器を構成させると、その計器の外形のサイズを変えることなく、その文字盤の有効計測範囲を広げることができると言うことである。
【０００９】
すなわち、この種の計器は「円形」を基本としている。それゆえに、従来は「円形＝３６０°」との概念にその思考過程が拘束されてしまっていたものであった。しかし、この種の通常の計器の場合は、その文字盤上の数値表示列の有効計測範囲が１８０度以下であり、典型的なものはそれが１２０°である。と言うことは、その計器の有効計測範囲は、その計器の円の面積の半分以下の面積しか有効に利用していないと言うことである。そこで、その不使用の面の部分を、その計測数値の表示場所に使用することにより、その有効計測範囲が加算されてその範囲を広げることができるものである。これによって、その計器のサイズは同じ面積であっても、その有効計測範囲が広がるというものである。これが、本願発明の基本である。
【００１０】
本発明にかかるスパイラル圧力計等の指針水平回動による計測数値指示タイプの計器は、以上の課題を解決するために、上述したようにその文字盤に潜在する円形と指針の回転に潜在する円形とを、それぞれ別に位置する中心点から成る異心円として概念づけて、その計器の数値表示列の位置と指針の位置とを構成させたものとした。
【００１１】
以下に、本発明にかかるスパイラル圧力計等の指針水平回動による計測数値指示タイプの計器の具体的な構成を詳細に記載する。この発明は、文字盤上の数値表示列の有効計測範囲が１８０度以下の計器において、まず、ハウジングがある。つぎに、数値表示列がある。この数値表示列は、上記のハウジングの前面の中心付近を中心点とした円周上であって、上記のハウジングの縁付近であって、且つ文字盤上に円弧状に表示された計測数値を示すものである。そして、指針軸がある。この指針軸は、上記の数値表示列の円弧の中心点（要にあたたる箇所）からこの数値表示列と反対の方向に位置する箇所に設けられたものである。さらに、指針がある。この指針は、上記の指針軸に結合して上記の文字盤と平行して回動し上記の数値表示列の数値の一点を指示するするものである。最後に、駆動部がある。この駆動部は、上記の指針を被測定物からの信号により駆動するものである。
【００１２】
【発明の実施の形態】
以下に、本発明にかかるスパイラル圧力計等の指針水平回動による計測数値指示タイプの計器の一般的な実施の形態を述べる。文字盤上に記載された数値表示列５の有効計測範囲（実際に測定できる計測範囲）が１８０度以下の計器であるガス圧力計において、計測値を表示する数値表示列が、ハウジングの円形部分の中心付近を中心点とした円周上であって、上記のハウジングの縁付近に設けられている。
【００１３】
さらに、指針軸が、上記の数値表示列の円弧の中心点からこの数値表示列と反対の方向に位置する箇所に設けられている。そして、指針が、上記の指針軸に結合して上記の文字盤と平行して回動し、上記の数値表示列の目盛の一点を指示して、その圧力の数値を示す。
【００１４】
具体的には、測定するガスの圧力により駆動する駆動部である株が、上記の指針を被測定物からのガス圧という信号により駆動する。それは、この株に通し穴があって、そこから測定されるガスが送り込まれる。この通し穴はブル穴に通じて、ここで上記の針軸を兼用するブルトン管をそのガス圧に応じて回動させ、その圧力を示すものである。
【００１５】
【実施例】
しかして、本発明にかかるスパイラル圧力計等の指針水平回動による計測数値指示タイプの計器をその一実施例であるガス圧力計を用いて添付の図面と共に詳細に述べる。この発明は、図２に示す平面図のように、文字盤２上に記載された数値表示列５の有効計測範囲（実際に測定できる計測範囲）が１８０度以下（本実施例では、１２０度）の計器であるガス圧力計Ｓ’において、まず、酒徳利に用いる袴の様な形状をしたハウジング１がある。つぎに、計測値を表示する数値表示列５がある。この数値表示列５は、上記のハウジング１の前面の円形部分の中心付近を中心点２ａ（図中の黒点は、この円の中心点を示す仮想の点）とした円周上であって、上記のハウジング１の縁付近に設けられている。そして、この数値表示列５は、文字盤２の上に円弧状に表示された計測数値である目盛り５ａから成っている。
【００１６】
さらに、指針軸３’がある。この指針軸３’は、上記の数値表示列５の円弧の中心点２ａからこの数値表示列５と反対の方向に位置する箇所に設けられたものである。そして、指針４’がある。この指針４’は、上記の指針軸３に結合して上記の文字盤２と平行して回動し、上記の数値表示列５の目盛５ａの一点を指示するものである。なお、図中、円弧を描いている一点鎖線４ａは、上記の指針４’の先端の軌跡を示している。
【００１７】
最後に、測定するガスの圧力により駆動する駆動部である株６がある。この株６は、上記の指針４を被測定物からの信号により駆動するものである。具体的には、図３と４に示すこの部分の拡大左側面図のように、この株６には通し穴６ａがあって、そこから測定されるガスが送り込まれる。この通し穴６ａはブル穴６ｂに通じて、ここで上記の針軸４を兼用するブルトン管６ｃをそのガス圧に応じて回動させる。
【００１８】
ここで、図３はその株６が従来例のものであって、図４は本願発明のものである。すなわち、図３のブル穴６ｂは、その株６の中央部にあるが、図４のものは図３のものの位置に対して右に寄っている。この差が、上述した図１と図２に示す指示軸３の位置の差を示している（この図では、その位置の差は前後方向に表されている）。これを図５でもって見ると大変に理解しやすい。すなわち、図５は、従来例を示す図１と、本願発明のものを示す図２とを重ねて記載したものであるゆえに、その指針軸３（従来のもの）と３’（本願発明のもの）の位置の差が歴然としているからである。
【００１９】
しかして、図５で明白なように、本願発明ではその指針軸３’の位置がその中心点２ａ（図２参照）に対して、その数値表示列５と反対方向にずれている。すなわち、従来例では、その指針軸３の位置はその中心点２ａの位置である。それゆえに、従来例では、その文字盤２上に記載された数値表示列５の有効計測範囲（０からフルスケールＦ）が、文字Ａで示す範囲（縦縞部分）である。これに対して、本願発明では、文字Ｂで表す範囲（縦縞部分＋横縞部分）となっている。こうして、その有効計測範囲が同じ１２０度であっても、従来例の文字Ａで示す範囲から、本願発明の文字Ｂで表す範囲にプラスアルファ分だけ広がっており、その分だけその目盛５ａが読みやすくなっている。
【００２０】
なお、ここでその数値表示列５の範囲が広がったという意味は、その計測値が増えたと言うことを示すものではない。たとえば、本実施例ではそのフルスケールが１５（気圧）の数字で表されているが、この数字が２０（気圧）に増えると言うことではない。フルスケールが１５は１５の数字であって、その目盛５ａの間隔のみが広がったと言うことである。したがって、その目盛５ａがすっきりして読みとりやすくなったと言うことである。
【００２１】
【発明の効果】
本発明にかかるスパイラル圧力計等の指針水平回動による計測数値指示タイプの計器は、以上のごとくになしたゆえに、上記の課題を解決して以下のごとき多大な効果が生じた。すなわち、同じサイズの計器であって、その目盛の間隔を広げることができたゆえに、その数値を読みとりやすくなったばかりでなく、その文字盤がすっきりしてデザイン的にも優れたものとなった。
【００２２】
その上に、従来のものの構成の殆どの型枠などのものをそのまま利用できるゆえに、その生産コストもデジタル計器などと異なり、殆ど変わらず現在でも最も多く使用されているこの分野の計器の発展に役立つものとなった。
【図面の簡単な説明】
【図１】従来のスパイラル圧力計の平面図である。
【図２】本発明にかかるスパイラル圧力計等の指針水平回動による計測数値指示タイプの計器の一実施例の平面図を示したものである。
【図３】従来のスパイラル圧力計の株の左側面図である。
【図４】本願発明のスパイラル圧力計の株の左側面図を示したものである。
【図５】本発明にかかるスパイラル圧力計等の指針水平回動による計測数値指示タイプの計器の平面省略図と、従来のスパイラル圧力計の平面省略図を重ねた図である。
【符号の説明】
１    ハウジング
２    文字盤
３    指針軸
３’  指針軸
４    指針
４’  指針
５    数値表示列
５ａ  目盛
６    株
【図１】
2004271209.tif 000003
【図２】
2004271209.tif 000004
【図３】
2004271209.tif 000005
【図４】
2004271209.tif 000006
【図５】
2004271209.tif 000007